(57)【要約】【課題】  雑誌等を購入した購読者がスクラップを指定した記事を容易に電子データで管理することができ、また、即座にスクラップ記事を検索して購読者に提供することができる電子スクラップ方法を提供することを目的とする。【解決手段】  上記の課題を解決するため、本発明は、購入された雑誌に掲載される記事をネットワークを介して電子的にスクラップして閲覧させる電子スクラップ方法であって、上記雑誌の記事情報を管理する記事情報管理手段と、上記雑誌を購入した購読者が利用する購読者端末からの閲覧要求に応じて、上記購読者端末に上記雑誌の記事情報を提供する記事情報提供手順と、上記記事情報のうちスクラップ指定された所定の記事情報を、上記購読者に関する購読者情報毎に管理する電子スクラップ管理手順とを有する構成とされる。【選択図】  図１
2005157856.tif 000002
【特許請求の範囲】
【請求項１】
購入された雑誌に掲載される記事を、ネットワークを介して電子的にスクラップして閲覧させる電子スクラップ方法であって、
上記雑誌の記事情報を管理する記事情報管理手順と、
上記雑誌を購入した購読者が利用する購読者端末からの閲覧要求に応じて、上記購読者端末に上記雑誌の記事情報を提供する記事情報提供手順と、
上記記事情報のうちスクラップ指定された所定の記事情報を、上記購読者に関する購読者情報毎に管理する電子スクラップ管理手順とを有することを特徴とする電子スクラップ方法。
【請求項２】
上記電子スクラップ管理手順により管理されたスクラップ情報に対して、上記購読者端末から閲覧の要求があった場合、該購読者端末に所定の雑誌記事情報を提供するスクラップ情報提供手順を有することを特徴とする請求項１記載の電子スクラップ方法。
【請求項３】
出版社による上記雑誌の販売と、上記購読者による上記雑誌の購入とを仲介する購入仲介手順を有することを特徴とする請求項１又は２記載の電子スクラップ方法。
【請求項４】
上記購入仲介手順は、上記購読者による雑誌の購入実績を示す購入情報を管理する購入情報管理手順を有することを特徴とする請求項３記載の電子スクラップ方法。
【請求項５】
上記記事情報提供手順は、上記購入情報管理手順により管理された上記購入情報に基づいて、上記購読者が上記雑誌を購入した購読者であるか否かを判断する購入判断手順を有することを特徴とする請求項４記載の電子スクラップ方法。
【請求項６】
上記記事情報提供手順は、上記記事情報のページ数でスクラップ指定させることを特徴とする請求項１乃至５いずれか一項記載の電子スクラップ方法。
【請求項７】
上記記事情報提供手順は、上記記事情報の概要を示す画像からスクラップ指定させることを特徴とする請求項１乃至６いずれか一項記載の電子スクラップ方法。
【請求項８】
上記記事情報管理手順により管理された上記記事情報は、上記記事情報に関連するキーワードを有し、
上記記事情報提供手順は、上記購読者端末から提供されたキーワードと、上記記事情報の上記キーワードとに基づいて、上記購読者端末へ所定の記事情報を提供することを特徴とする請求項１乃至７いずれか一項記載の電子スクラップ方法。
【請求項９】
上記スクラップ情報提供手順は、上記記事情報に対応するメモ情報を該記事情報に重ね合わせて上記購読者端末に表示させることを特徴とする請求項２乃至８いずれか一項記載の電子スクラップ方法。
【請求項１０】
購入された雑誌に掲載される記事を、ネットワークを介して電子的にスクラップして閲覧させる電子スクラップシステムであって、
上記雑誌の記事情報を管理する記事情報管理手段と、
上記雑誌を購入した購読者が利用する購読者端末からの閲覧要求に応じて、該購読者端末に上記雑誌の記事情報を提供する記事情報提供手段と、
上記記事情報のうちスクラップ指定された所定の記事情報を、上記購読者に関する購読者情報毎に格納する電子スクラップデータベースとを有することを特徴とする電子スクラップシステム。
【発明の詳細な説明】
【技術分野】
【０００１】
本発明は電子スクラップ方法及び電子スクラップシステムに係り、特に、雑誌を購入した購読者が、雑誌の記事を電子的にスクラップする電子スクラップ方法及び電子スクラップシステムに関する。
【背景技術】
【０００２】
従来、雑誌や新聞を購読している購読者が、雑誌や新聞の記事を個人でスクラップする場合、紙面を切り抜き、スクラップ記事を分類するなどして、スクラップ用の本に張り付けて管理している。最近では、スクラップしたい記事をスキャナーで読み込んで、画像データに検索用のインデックスを付けるなどして電子データを個人で管理する場合もある。
【０００３】
また、インターネットを介して専用のブラウザを用いた記事に、購読者のメモを付す等の編集を行うことがでる従来技術が存在する。例えば、従来技術として、電子メモ処理装置、電子メモ処理方法、及び電子メモ処理プログラムを記録したコンピュータ読み取り可能な記録媒体が存在する（特許文献１）。
【０００４】
また、従来技術として、電子本、その電子本を記録した記録媒体、電子本の記録媒体へのオーサリング方法及び、その電子本を記録した記録媒体を処理する処理装置が存在する（特許文献２）。
【特許文献１】特開平１１−１３４３２７号公報
【特許文献２】特開２０００−３４８０５７号公報
【発明の開示】
【発明が解決しようとする課題】
【０００５】
しかしながら、従来のスクラップ処理では、紙面の切り抜き作業やスクラップ記事の分類に手間がかかってしまうという問題点があった。また、スクラップした記事から必要な記事を探す場合、すぐに見付け出すことができないという問題点があった。
【０００６】
また、記事を電子データ化して蓄積するとしても、記事をスキャナーで読み込んだり、検索用のインデックスを付けたりするのに非常に手間がかかるという問題点があった。
【０００７】
そこで、本発明の課題は、雑誌等を購入した購読者がスクラップを指定した記事を容易に電子データで管理することができ、また、即座にスクラップ記事を検索して購読者に提供することができる電子スクラップ方法及び電子スクラップシステムを提供することである。
【課題を解決するための手段】
【０００８】
上記の課題を解決するため、本発明は、請求項１に記載されるように、購入された雑誌に掲載される記事を、ネットワークを介して電子的にスクラップして閲覧させる電子スクラップ方法であって、上記雑誌の記事情報を管理する記事情報管理手順と、上記雑誌を購入した購読者が利用する購読者端末からの閲覧要求に応じて、上記購読者端末に上記雑誌の記事情報を提供する記事情報提供手順と、上記記事情報のうちスクラップ指定された所定の記事情報を、上記購読者に関する購読者情報毎に管理する電子スクラップ管理手順とを有する構成とされる。
【０００９】
このような電子スクラップ方法において、雑誌の記事情報を管理し、雑誌を購入した購読者が利用する購読者端末からの閲覧要求に応じて、購読者端末に雑誌の記事情報を提供し、その記事情報からスクラップ指定された記事情報を購読者情報毎に管理することにより、雑誌等を購入した購読者がスクラップを指定した記事を容易に電子データで管理することができ、また、即座にスクラップ記事を検索して購読者に提供することができる。
【００１０】
また、上記の課題を解決するため、本発明は、請求項２に記載されるように、上記電子スクラップ管理手順により管理されたスクラップ情報に対して、上記購読者端末から閲覧の要求があった場合、該購読者端末に所定の雑誌記事情報を提供するスクラップ情報提供手順を有する構成としてもよい。
【００１１】
このような電子スクラップ方法において、スクラップ情報に対して購読者端末から閲覧の要求があったときに、その購読者端末へスクラップ情報に対応する雑誌記事情報を提供することにより、即座にスクラップ記事を検索して購読者に提供することができる。
【００１２】
また、上記の課題を解決するため、本発明は、請求項３に記載されるように、出版社による上記雑誌の販売と、上記購読者による上記雑誌の購入とを仲介する購入仲介手順を有する構成としてもよい。
【００１３】
このような電子スクラップ方法において、出版社による雑誌の販売と、購読者による雑誌の購入とを仲介することにより、購読者による雑誌の購入情報を管理することができる。
【００１４】
また、上記の課題を解決するため、本発明は、請求項４に記載されるように、上記購入仲介手順は、上記購読者による雑誌の購入実績を示す購入情報を管理する購入情報管理手順を有する構成としてもよい。
【００１５】
このような電子スクラップ方法において、上記購入情報に基づいて購読者が雑誌を購入申込みした購読者であるか否かを判断することにより、雑誌を購入申込みした購読者のみにスクラップを指定した記事を電子データで管理させることができる。
【００１６】
また、上記の課題を解決するため、本発明は、請求項５に記載されるように、上記記事情報提供手順は、上記購入情報管理手順により管理された上記購入情報に基づいて、上記購読者が上記雑誌を購入した購読者であるか否かを判断する購入判断手順を有する構成としてもよい。
【００１７】
このような電子スクラップ方法において、上記購入情報に基づいて購読者が雑誌を購入した購読者であるか否かを判断することにより、雑誌を購入した購読者のみにスクラップを指定した記事を電子データで管理させることができる。
【００１８】
また、上記の課題を解決するため、本発明は、請求項６に記載されるように、上記記事情報提供手順は、上記記事情報のページ数でスクラップ指定させる構成としてもよい。
【００１９】
このような電子スクラップ方法において、記事情報のページ数でスクラップ指定させることにより、雑誌等を購入した購読者が、所定の記事を容易にスクラップ指定することができる。
【００２０】
また、上記の課題を解決するため、本発明は、請求項７に記載されるように、上記記事情報提供手順は、上記記事情報の概要を示す画像からスクラップ指定させる構成としてもよい。
【００２１】
このような電子スクラップ方法において、記事情報の概要を示す画像からスクラップ指定させることにより、雑誌等を購入した購読者が、所定の記事を容易にスクラップ指定することができる。
【００２２】
また、上記の課題を解決するため、本発明は、請求項８に記載されるように、上記記事情報管理手順により管理された上記記事情報は、上記記事情報に関連するキーワードを有し、上記記事情報提供手順は、上記購読者端末から提供されたキーワードと、上記記事情報の上記キーワードとに基づいて、上記購読者端末へ所定の記事情報を提供する構成としてもよい。
【００２３】
このような電子スクラップ方法において、購読者端末から提供された記事のキーワードと、管理された記事情報のキーワードとに基づいて、購読者端末へ所定の記事情報を提供することにより、購読者が要求する記事情報を適確に即座に検索して提供することができる。
【００２４】
また、上記の課題を解決するため、本発明は、請求項９に記載されるように、上記スクラップ情報提供手順は、上記記事情報に対応するメモ情報を該記事情報に重ね合わせて上記購読者端末に表示させる構成としてもよい。
【００２５】
このような電子スクラップ方法において、スクラップ情報に対応するメモ情報をスクラップ情報に重ね合わせて購読者端末に表示させることにより、購読者はより便利に電子スクラップを利用することができる。
【００２６】
また、上記の課題を解決するため、本発明は、請求項１０に記載されるように、購入された雑誌に掲載される記事を、ネットワークを介して電子的にスクラップして閲覧させる電子スクラップシステムであって、上記雑誌の上記記事情報を管理する記事情報管理手段と、上記雑誌を購入した購読者が利用する購読者端末からの上記雑誌の閲覧要求に応じて、該購読者端末に上記雑誌の記事情報を提供する記事情報提供手段と、上記記事情報のうちスクラップ指定された所定の記事情報を、上記購読者に関する購読者情報毎に格納する電子スクラップデータベースとを有する構成とされる。
【００２７】
このような電子スクラップシステムにおいて、雑誌の記事情報を管理し、雑誌を購入した購読者が利用する購読者端末からの閲覧要求に応じて、購読者端末に雑誌の記事情報を提供し、その記事情報からスクラップ指定された記事情報を購読者情報毎に電子スクラップデータベースへ格納することにより、雑誌等を購入した購読者がスクラップを指定した記事を容易に電子データで管理することができ、また、即座にスクラップ記事を検索して購読者に提供することができる。
【００２８】
また、上記課題を解決するため、本発明は、電子スクラップ方法をコンピュータに実行させるためのプログラム、及びそのプログラムを格納した記録媒体とすることもできる。
【発明の効果】
【００２９】
本願発明によれば、雑誌の記事情報を管理し、雑誌を購入した購読者が利用する購読者端末からの雑誌の閲覧要求に応じて、購読者端末に雑誌の記事情報を提供し、その記事情報からスクラップ指定された記事情報を購読者情報毎に管理することにより、雑誌等を購入した購読者がスクラップを指定した記事を容易に電子データで管理することができ、また、即座にスクラップ記事を検索して購読者に提供することができる。
【発明を実施するための最良の形態】
【００３０】
以下、本発明の実施の形態を図面に基づいて説明する。図１は、本発明の第１実施例に係る電子スクラップシステムを示す構成図である。図１において、電子スクラップシステム１０は、雑誌（又は新聞等）の記事を電子的にスクラップする処理を行う電子スクラップサーバー２０と、雑誌を購入した購読者が利用するパーソナルコンピュータ（以下ＰＣと呼ぶ）であり、雑誌に掲載された記事のスクラップを行う購読者端末３０と、雑誌を出版、販売する出版社に設けられたＰＣ等の出版社端末４０等で構成されるシステムである。電子スクラップサーバー２０と、購読者端末３０と、出版社端末４０は、インターネットなどのネットワーク１で接続されている。尚、電子スクラップサーバー２０は出版社に設置されてもよく、その場合は出版社端末４０と同一のコンピュータであってもよい。
【００３１】
電子スクラップサーバー２０は、サーバーコンピュータであって、ＣＰＵ（中央処理装置）によって各構成が制御される。ＣＰＵは、メモリユニットに格納された本発明の電子スクラップ方法を実行するプログラムに従って処理を行う。例えば、この電子スクラップ処理を実行するまでの過程を以下に説明すると、電子スクラップ処理プログラムが記録された記録媒体（図示せず）から、電子スクラップサーバー２０内蔵のインストーラにより読み出され、その読み出されたプログラムは、例えば、補助記憶装置等にインストールされる。そして、後述される電子スクラップ処理が起動されると、補助記憶装置にインストールされた当該プログラムに従って、ＣＰＵがその処理を開始する。尚、記録媒体は、ＣＤ−ＲＯＭなどプログラムが格納可能であり、コンピュータが読み取り可能な媒体であればよい。尚、上記電子スクラップ処理については、図２、図３で詳細に説明する。
【００３２】
電子スクラップサーバー２０は、主に、出版社による雑誌の販売と、購読者端末３０による購入とを仲介する購入仲介処理部２１と、購読者端末３０へ雑誌の記事の識別情報（及び電子データ）である記事情報を提供する記事情報提供処理部２２と、スクラップ指定のあった記事情報をスクラップ情報として購読者毎に管理する電子スクラップ管理処理部２３と、所定のスクラップ情報（及び出版者端末４０から提供された雑誌記事情報）を購読者端末３０に提供するスクラップ情報提供処理部２４と、出版社端末４０から電子データである記事情報を取得して管理する記事情報管理処理部２５と、スクラップ情報が格納された電子スクラップデータベース（以下ＤＢと呼ぶ）２００と、出版社端末４０から送信された入金情報、即ち、雑誌の購入履歴が格納された購入履歴ＤＢ２０１と、記事情報が格納された記事ＤＢ２０２とを有する。また、電子スクラップＤＢ２００に格納されるテーブルについては図４で、購入履歴ＤＢ２０１に格納されるテーブルについては図５で、記事ＤＢ２０２に格納されるテーブルについては図６で詳細に説明する。尚、出版社端末４０から送信される入金情報テーブルについては図７で詳細に説明する。
【００３３】
購入仲介処理部２１は、出版社による雑誌の販売と、購読者端末３０による購入とを仲介するための購入仲介サイトを管理する。具体的には、購読者端末３０から購入要求があった場合、出版社端末４０へ購入要求情報を提供する。その後、出版社端末４０は、購読者から雑誌の料金の入金があった場合、その都度或いは定期的に、入金情報を電子スクラップサーバー２０へ提供する。
【００３４】
尚、出版社端末４０へ購入要求情報を提供し、出版社端末４０から入金情報を取得する点に限定することなく、電子スクラップサーバー２０の運営者が直接、入金情報を入力してもよく、例えば、電子スクラップサーバー２０の運営者が配送業を兼ねている場合、雑誌配送と引き換えに代金受取りを行うようにしてもよい。
【００３５】
記事情報提供処理部２２は、購読者端末３０からの要求があると、購入履歴ＤＢ２０１を参照して、その購読者が雑誌購入者であるか否かを判断する。記事情報提供処理部２２は、判断結果に応じて、購読者端末３０へ記事ＤＢ２０２に格納された所定の記事情報を提供する。
【００３６】
電子スクラップ管理処理部２３は、購読者端末３０からスクラップ指定のあった記事情報をスクラップ情報として購読者毎に電子スクラップＤＢ２００で管理する。スクラップ情報提供処理部２４は、購読者端末３０からの要求に応じて、電子スクラップＤＢ２００に格納された所定のスクラップ情報に対応して雑誌記事情報を雑誌記事ＤＢ４６から取得し、購読者端末３０に提供する。記事情報管理処理部２５は、出版社端末４０から取得した雑誌記事情報に基づいて生成した記事情報を記事ＤＢ２０２で管理する。
【００３７】
以下に、本発明の電子スクラップ方法におけるデータの流れを説明する。電子スクラップサーバー２０は、予め出版社端末４０で管理された雑誌記事ＤＢ４６に格納された雑誌記事情報に基づいて生成した記事情報を取得し、記事ＤＢ２０２で管理する。また、出版社端末４０で購読者により購入された雑誌の料金の入金が確認されると、出版社端末４０から電子スクラップサーバー２０へ入金情報４５が提供される。
【００３８】
電子スクラップサーバー２０は、購読者端末３０から記事情報の閲覧要求があると、記事ＤＢ２０２で管理された記事情報を購読者端末３０へ提供する。その後、電子スクラップサーバー２０は、購読者端末３０からの所定の記事情報のスクラップ指定があると、その記事情報をスクラップ情報として購読者毎に電子スクラップＤＢ２００で管理する。
【００３９】
また、電子スクラップサーバー２０は、購読者端末３０からスクラップ情報の閲覧要求があると、電子スクラップＤＢ２００で管理された、その購読者のスクラップ情報に基づいて雑誌記事ＤＢ４６から雑誌記事情報を取得し、購読者端末３０へ提供する。
【００４０】
このように、電子スクラップサーバー２０は、購読者端末３０に記事情報を提供し、その記事情報のうちスクラップ指定された記事情報をスクラップ情報として、電子スクラップＤＢ２００で管理することにより、雑誌等を購入した購読者がスクラップを指定した記事を容易に電子データで管理することができ、また、記事情報にはキーワード情報が含まれるので、即座にスクラップ記事を検索して購読者に提供することができる。
【００４１】
次に、電子スクラップシステム１０で実行される電子スクラップ処理の具体例について説明する。図２は、電子スクラップ処理の具体例について説明するための図である。尚、図２において、出版社Ａ、Ｂでは、通常のＷｅｂブラウザで表示可能なＰＤＦ（Ｐｏｒｔａｂｌｅ  Ｄｏｃｕｍｅｎｔ  Ｆｏｒｍａｔ）形式で雑誌の記事内容情報がＡ社の雑誌記事ＤＢ４６０、Ｂ社の雑誌記事ＤＢ４６１で管理され、電子スクラップサーバー２０へ提供されるものとする。
【００４２】
図２において、先ず、ステップＳ１の処理で、購読者端末３０は、出版社Ａ（出版社端末４１）が出版する雑誌Ａと、出版社Ｂ（出版社端末４２）が出版する雑誌Ｂとの購入申し込みを、インターネット２を介して電子スクラップサーバー２０が運営する購入仲介サイトにより行う。電子スクラップサーバー２０では、購読者端末３０からの購入申し込みに関する情報を出版社端末４１、４２へ提供する。
【００４３】
ステップＳ２の処理で、購入申し込みを行った購読者へ出版社Ａから雑誌Ａが郵送され、出版社Ｂから雑誌Ｂが配送される。ステップＳ３の処理で、購読者は、代金引換や、銀行振り込みなどで、雑誌Ａ、Ｂそれぞれの料金を出版社Ａ、Ｂへ入金する。出版社端末４１、４２では、購読者からの入金を確認すると、電子スクラップサーバー２０へ入金情報を提供する。電子スクラップサーバー２０は、取得した入金情報を購入履歴ＤＢ２０１で管理する。
【００４４】
ステップＳ４の処理で、電子スクラップサーバー２０は、購読者端末３０から購入雑誌の記事情報の閲覧要求があった場合、記事ＤＢ２０２に格納された記事情報を購読者端末３０へ提供する。購読者端末３０は、提供された記事情報から所定の記事情報をスクラップ指定し、電子スクラップサーバー２０へ提供する。電子スクラップサーバー２０では、スクラップ指定された記事情報をスクラップ情報として電子スクラップＤＢ２００で管理する。
【００４５】
ステップＳ５の処理で、電子スクラップサーバー２０は、購読者端末３０からスクラップ情報の閲覧要求に応じて、電子スクラップＤＢ２００で管理された所定のスクラップ情報を提供すると共に、雑誌記事ＤＢ４６０又は４６１からスクラップ情報に対応する雑誌記事情報を取得して購読者端末３０に提供する。
【００４６】
このように、電子スクラップサーバー２０は、購読者端末３０へ記事情報を提供し、購読者端末３０から指定された記事情報をスクラップ情報として電子スクラップＤＢ２００で管理することにより、雑誌等を購入した購読者がスクラップを指定した記事を容易に電子データで管理することができ、また、即座にスクラップ記事を検索して購読者に提供することができる。
【００４７】
次に、電子スクラップサーバー２０、購読者端末３０、出版社端末４０での電子スクラップ処理の詳細について説明する。尚、図３に示す横方向の矢印線は情報の流れを示し、縦方向のブロック矢印は操作や処理の順序を示している。図３は、電子スクラップ処理の一連の流れを示すフローチャート図である。図３において、先ず、ステップＳ１０の処理で、出版社端末４０は、出版する雑誌の記事データの電子化を行う。ステップＳ１１の処理で、出版社端末４０は、電子化した記事データを雑誌記事ＤＢ４６へ登録する。ステップＳ１２の処理で、出版社端末４０は、雑誌記事ＤＢ４６に登録された記事データの情報と、該登録された記事の掲載雑誌の情報と、記事が含むキーワード等からなる記事情報を、電子スクラップサーバー２０へ提供する。ステップＳ１３の処理で、電子スクラップサーバー２０は、出版社端末４０から提供された記事情報を記事ＤＢ２０２へ登録する。尚、記事が含むキーワードは記事ＤＢ２０２へ登録した後で設定してもよい。
【００４８】
次に、ステップＳ１５の処理で、購読者端末３０は、電子スクラップサーバー２０が運営する購入仲介サイトのホームページに接続する。ステップＳ１６の処理で、電子スクラップサーバー２０は、購入仲介サイトの会員登録、又は電子スクラップＤＢ２００で管理された購読者情報に基づいて認証を行う。会員登録の場合は電子スクラップＤＢ２００に新規会員を登録する。ステップＳ１７の処理で、購読者端末３０は、購入仲介サイトに対して雑誌の購入申し込みを行う。ステップＳ１８の処理で、購読者端末３０は、購入仲介サイトとの接続を終了する。
【００４９】
ステップＳ１９の処理で、電子スクラップサーバー２０は、購読者端末３０からの購入申し込みを受け付ける。ステップＳ２０の処理で、電子スクラップサーバー２０は、購入申し込みを購入履歴として購入履歴ＤＢ２０１で管理する。更に、ステップＳ２１の処理で、電子スクラップサーバー２０は、出版社端末４０へ購入情報を提供する。ステップＳ２２の処理で、出版社端末４０は、電子スクラップサーバー２０から購入情報を取得する。
ステップＳ２３の処理で、出版社から購入者に所定の雑誌が発送される。ステップＳ２４の処理で、購読者は雑誌を入手し、出版社へ雑誌の料金を入金する。ステップＳ２５の処理で、出版社端末４０は、電子スクラップサーバー２０へ入金情報を提供する。ステップＳ２６の処理で、電子スクラップサーバー２０は、入金情報を購入履歴ＤＢ２０１へ登録する。
【００５０】
ステップＳ２７の処理で、購読者端末３０は、購入仲介サイトのホームページに接続する。ステップＳ２８の処理で、電子スクラップサーバー２０は、電子スクラップＤＢ２００で管理された購読者情報に基づいて会員の認証を行う。また、ステップＳ２８の処理で、電子スクラップサーバー２０は、購読者端末３０からの記事情報の要求に応じて、記事ＤＢ２０２と購入履歴ＤＢ２０１を参照し、購読者が購入した雑誌の記事情報を提供する。尚、購読者端末３０からの前記記事情報の要求がキーワード検索の要求である場合は、電子スクラップサーバー２０は、与えられたキーワードで記事ＤＢ２０２を検索し、購入履歴ＤＢ２０１を参照して、購読者が購入した雑誌の記事から該キーワードに対応する記事情報を提供する。
【００５１】
ステップＳ２９の処理で、購読者端末３０は、電子スクラップサーバー２０から取得した記事情報からスクラップする記事を指定する。ステップＳ３０の処理で、電子スクラップサーバー２０は、スクラップ指定された記事情報を取得し、電子スクラップＤＢ２００を更新（登録）する。ステップＳ３１の処理で、電子スクラップサーバー２０は、該スクラップ指定された記事情報に対応する所在情報を記事ＤＢ２０２から取得し、それに従って雑誌記事ＤＢ４６にアクセスし、対応する雑誌記事データを取得し、購読者端末３０に表示する。
【００５２】
ステップＳ３２の処理で、購読者端末３０は、電子スクラップサーバー２０から提供された雑誌記事データであるスクラップ記事を閲覧する。ステップＳ３３の処理で、購読者端末３０は、電子スクラップサーバー２０との接続を終了する。尚、電子スクラップＤＢ２００で、購入仲介サイトの会員申し込みを行った購読者に関する情報を管理する点に限定することなく、購読者情報を格納するＤＢを設けるようにしてもよい。
【００５３】
このように、電子スクラップサーバー２０は、購読者端末３０へ記事情報を提供し、購読者端末３０から指定された記事情報をスクラップ情報として管理し、購読者端末３０からの閲覧要求に応じてスクラップ情報に対応する雑誌記事データを提供することにより、雑誌等を購入した購読者がスクラップを指定した記事を容易に電子データで管理することができ、また、購読者は即座にスクラップ記事を検索して閲覧することができる。
【００５４】
次に、電子スクラップＤＢに格納されるテーブルについて説明する。図４は、電子スクラップＤＢに格納されるテーブルを示す図である。図４に示すテーブル２１０には、購読者端末３０からスクラップ指定があった記事情報を購読者毎に格納したスクラップ情報レコードが格納されている。テーブル２１０には、購読者を識別するための購読者ＩＤを示す項目と、購読者の氏名を示す項目と、記事を識別するための記事ＩＤを示す複数の項目とが格納されている。
【００５５】
このように、テーブル２１０に示す項目でスクラップ情報を管理することにより、容易に購読者毎にスクラップ情報を管理することができ、即座に購読者からの要求に応じたスクラップ情報を提供することができる。
【００５６】
次に、購入履歴ＤＢに格納されるテーブルについて説明する。図５は、購入履歴ＤＢに格納されるテーブルを示す図である。図５に示すテーブル２１１には、購読者端末３０からの購入要求と、出版社端末４０からの入金情報とに基づいて生成された複数の購入履歴（購入情報）レコードが格納されている。テーブル２１１には、購読者を識別するための購読者ＩＤを示す項目と、購入雑誌を示す項目と、代金の支払い状況を示す項目などが格納されている。
【００５７】
このように、テーブル２１１に示す項目で購入履歴を管理することにより、購読者の雑誌の購入状況を把握し、記事情報を要求した購読者が、雑誌を購入したか否かを判断することができる。
【００５８】
次に、記事ＤＢに格納されるテーブルについて説明する。図６は、記事ＤＢに格納されるテーブルを示す図である。図６に示すテーブル２１２には、出版社端末４０から提供された雑誌の記事情報に基づいて生成された、複数の記事毎の記事情報レコードが格納されている。テーブル２１２には、記事の所在やインデックスである記事ＩＤを示す項目と、記事タイトル（目次）を示す項目と、掲載雑誌を示す項目と、記事の所在情報を示す項目と、記事の開始頁を示す項目と、記事の終了頁を示す項目と、記事を検索するために記事内に存在するキーワードを示す複数の項目とが格納されている。
【００５９】
このように、テーブル２１２に示す項目で記事毎に雑誌の記事情報を管理することにより、購読者により指定された記事単位で複数の記事情報をスクラップ情報として管理することができる。また、記事情報のキーワードを管理することにより、購読者端末３０から提供された記事のキーワードに基づいて、購読者が要求する記事情報を適確に検索して提供することができる。
【００６０】
次に、購読者から出版社へ雑誌の料金が入金された際の入金情報（購読者による雑誌の購入実績）について説明する。図７は、出版社端末から提供される入金情報テーブルを示す図である。図７に示す入金情報テーブル４５には、出版社端末４０から電子スクラップサーバー２０へ提供され、購読者により購入雑誌の料金が支払われた際の入金情報レコードが格納されている。入金情報テーブル４５には、購読者を識別するための購読者ＩＤを示す項目と、購読者の氏名を示す項目と、入金した雑誌の名称などの入金情報を示す複数の項目とが格納されている。
【００６１】
このように、入金情報テーブル４５に示す項目の入金情報を取得することにより、雑誌を購入した購読者を購入履歴ＤＢ２０１で管理することができる。
【００６２】
次に、電子スクラップサーバー２０で実行される購入仲介処理について詳細に説明する。図８は、購入仲介処理を示すフローチャート図である。図８において、先ず、ステップＳ４０の処理で、電子スクラップサーバー２０の購入仲介処理部２１は、購読者端末３０による購入仲介サイトからの購入申し込みを受け付ける。ステップＳ４１の処理で、購入仲介処理部２１は、購入申し込み情報に基づいて、購入履歴ＤＢ２０１へレコードを作成する。ステップＳ４２の処理で、購入仲介処理部２１は、購入申し込み情報を各出版社の出版社端末４０に送信する。
【００６３】
このように、電子スクラップサーバー２０は、購読者からの購読申し込みを受け付けて、出版社に購読申し込みを送信することにより、雑誌購入に関する処理を仲介して行うことができる。同時に、雑誌購入を行った購読者の情報を購入履歴ＤＢ２０１で管理することができる。
【００６４】
次に、電子スクラップサーバー２０で実行される入金情報取得処理について詳細に説明する。図９は、入金情報取得処理を示すフローチャート図である。図９において、先ず、ステップＳ４５の処理で、電子スクラップサーバー２０の購入仲介処理部２１は、出版社端末４０から入金情報４５の各レコードを順次読み込む。尚、図９に示すフローチャート図では、入金情報は順次アクセス記憶媒体を介して入力されるが、ネットワークを介して出版社端末４０から受信してもよい。ステップＳ４６の処理で、購入仲介処理部２１は、入金情報レコードを全て読み込んだか否か、即ち、読み込む入金情報レコードがあるか否かを判断する。ステップＳ４６の処理で、読み込む入金情報レコードがない場合、入金情報取得処理を終了する。
【００６５】
ステップＳ４６の処理で、読み込む入金情報レコードがある場合、ステップＳ４７の処理で、購入仲介処理部２１は、購入履歴ＤＢ２０１の該当レコードの代金支払い情報を更新し、ステップＳ４５からの処理を繰り返す。
【００６６】
このように、電子スクラップサーバー２０は、出版社からの入金情報に基づいて、所定の購読者に対して代金支払い情報を更新することにより、スクラップを行う購読者が雑誌購入完了しているか否かを判断することができる。
【００６７】
次に、電子スクラップサーバー２０で実行される電子スクラップ管理処理について説明する。図１０は、電子スクラップ管理処理を示すフローチャート図である。図１０において、先ず、ステップＳ５０の処理で、電子スクラップサーバー２０の電子スクラップ管理処理部２３は、会員の購読者情報が管理された電子スクラップＤＢ２００を参照して購読者端末３０の認証を行う。ステップＳ５１の処理で、電子スクラップ管理処理部２３は、購入履歴ＤＢ２０１を検索して、購読者が購入した雑誌に関する情報を取得する。ステップＳ５２の処理で、電子スクラップ管理処理部２３は、雑誌の一覧表を購読者端末３０に表示させて購読者に選択させる。ステップＳ５３の処理で、電子スクラップ管理処理部２３は、購読者が選択した雑誌の記事を記事ＤＢ２０２から検索し、購読者端末３０へ提供する。ステップＳ５４の処理で、電子スクラップ管理処理部２３は、記事の一覧表（目次）を購読者端末３０に表示し、（又はページ数の指定により）購読者に選択させる。ステップＳ５５の処理で、電子スクラップＤＢ２００に購読者によるスクラップ指定された記事情報を登録する。
【００６８】
このように、電子スクラップサーバー２０は、購読者端末３０に購読者が購入した雑誌の記事情報を一覧表示させ、スクラップ指定させることにより、容易に購読者毎にスクラップ情報を電子スクラップＤＢ２００で管理することができる。
【００６９】
次に、本発明の第１実施例に係る電子スクラップ管理処理（図１０に示す）において、スクラップする記事の掲載雑誌を選択させるための雑誌選択画面について説明する。図１１は、購読者端末に表示される雑誌選択画面を示す図である。図１１に示す雑誌選択画面１００は、電子スクラップサーバー２０が運営する購入仲介サイト内で購読者端末３０に表示される画面である。雑誌選択画面１００には、タイトル「雑誌選択」と、複数の雑誌の名前を表示した表示域１０１と、各雑誌を選択する選択域１０２とが表示される。
【００７０】
このように、雑誌選択画面１００を購読者端末３０で表示させることで、購読者がスクラップを希望する雑誌を選択することができる。
【００７１】
次に、図１０に示す電子スクラップ管理処理において、スクラップする記事を選択させるための記事選択画面について説明する。図１２は、購読者端末に表示される記事選択画面を示す図である。図１２（Ａ）に示す記事選択画面１０５は、目次からスクラップする記事を選択する画面である。記事選択画面１０５には、記事の目次を示す表示域１０６と、目次を選択する選択域１０７と、記事の選択が終了した場合に選択する終了ボタン１０８と、記事選択画面１０５を取消す取消ボタン１０９とが表示される。選択域１０７の各選択項目には、記事ＤＢ２０２からそれぞれ対応する記事ＩＤが取得され非表示情報として格納されている。
【００７２】
図１２（Ｂ）に示す記事選択画面１１０は、ページ数でスクラップする記事を選択する画面である。記事選択画面１１０には、記事の範囲をページで指定する表示域１１１と、開始ページ数を入力する入力域１０８と、終了ページ数を入力する入力域１０９と、記事の選択が終了した場合に選択する終了ボタン１１４と、記事選択画面１１０を取消す取消ボタン１１５とが表示される。この場合、記事ＤＢ２０２を参照して開始ページ数と終了ページ数で指定された範囲に掲載された記事が選択される。
【００７３】
このように、記事選択画面１０５、１１０を購読者端末３０に表示させることで、購読者がスクラップする記事を指定することができる。
【００７４】
尚、記事情報ごとに割り振られた識別番号により、購読者にスクラップする記事を指定させるようにしてもよい。
【００７５】
以下に、本発明の第２実施例について説明する。図１３は、第２実施例に係る電子スクラップ管理処理を示すフローチャート図である。図１３において、先ず、ステップＳ６０の処理で、電子スクラップサーバー２０の電子スクラップ管理処理部２３は、会員の購読者情報が管理された電子スクラップＤＢ２００を参照して購読者端末３０の認証を行う。ステップＳ６１の処理で、電子スクラップ管理処理部２３は、購入履歴ＤＢ２０１を検索して、購読者が購入した雑誌に関する情報を取得する。ステップＳ６２の処理で、電子スクラップ管理処理部２３は、雑誌の一覧表を購読者端末３０に表示させて購読者に選択させる。ステップＳ６３の処理で、電子スクラップ管理処理部２３は、購読者が選択した雑誌の記事を記事ＤＢ２０２で管理された記事情報に基づいて、記事選択画面を該当雑誌の表紙や電車の中吊広告の様式（記事情報の概要を示す画像）で表示して購読者に選択させる。ステップＳ６４の処理で、電子スクラップＤＢ２００に購読者によるスクラップ指定された記事情報を登録する。
【００７６】
このように、電子スクラップサーバー２０は、購読者端末３０に購読者が購入した雑誌の記事情報の概要を示す画像を表示させてスクラップ指定させることにより、容易に購読者毎にスクラップ情報を電子スクラップＤＢ２００で管理することができる。  尚、このような記事情報の概要を示す画像データは、電子スクラップサーバー２０の記録媒体内に格納される。
【００７７】
このように、テーブル２１２に示す項目で雑誌毎の表紙や中吊広告の画像、及び目次記事情報を管理することにより、購読者は表紙や中吊広告の表示から容易に複数の記事に対してスクラップを行うことができる。
【００７８】
次に、本発明の第２実施例に係る電子スクラップ管理処理（図１３に示す）において、スクラップする記事を選択させるための記事選択画面について説明する。図１４は、購読者端末に表示される記事選択画面を示す図である。図１４に示す記事選択画面１２０は、購読者が選択した雑誌の中吊り広告画像を示す画面である。記事選択画面１２０は、目次からスクラップする記事を個々に選択可能な表示域１２１等が表示される。このような個別選択可能な表示域をもつ画面は、雑誌の各号毎に固定であるから、例えばＷｅｂページで容易に作成可能である。
【００７９】
このように、記事選択画面１２０を購読者端末３０に表示させることで、購読者は中吊りイメージからスクラップする記事を容易に指定することができる。
【００８０】
従って、本発明の電子スクラップ方法において、電子スクラップサーバー２０は、購読者端末３０へ記事情報を提供し、購読者端末３０から指定された記事情報をスクラップ情報として電子スクラップＤＢ２００で管理することにより、雑誌等を購入した購読者がスクラップを指定した記事を容易に電子データで管理することができ、また、即座にスクラップ記事を検索して購読者に提供することができる。
【００８１】
尚、本発明において、記事を認識すると共に、記事毎のメモを購読者端末３０（又は電子スクラップサーバー２０）に保存し、記事にメモを重ね合わせて表示させることも可能である。また、記事は利用する都度、電子スクラップＤＢが検索され、対応する所定の記事が取得されることにより、購読者はより便利に電子スクラップを利用することができる。
【００８２】
尚、本発明において、購読者端末３０に提供する記事情報に関して著作権等の権利を保護する仕組みを適応させることも可能である。
【図面の簡単な説明】
【００８３】
【図１】本発明の第１実施例に係る電子スクラップ方法におけるシステム構成図である。
【図２】電子スクラップ処理の概要について説明するための図である。
【図３】電子スクラップ処理の一連の流れを示すフローチャート図である。
【図４】電子スクラップＤＢに格納されるテーブルを示す図である。
【図５】購入履歴ＤＢに格納されるテーブルを示す図である。
【図６】記事ＤＢに格納されるテーブルを示す図である。
【図７】出版社端末から提供される入金情報テーブルを示す図である。
【図８】購入仲介処理を示すフローチャート図である。
【図９】入金情報取得処理を示すフローチャート図である。
【図１０】電子スクラップ管理処理を示すフローチャート図である。
【図１１】購読者端末に表示される雑誌選択画面を示す図である。
【図１２】購読者端末に表示される記事選択画面を示す図である。
【図１３】第２実施例に係る電子スクラップ管理処理を示すフローチャート図である。
【図１４】購読者端末に表示される記事選択画面を示す図である。
【符号の説明】
【００８４】
１            ネットワーク
２            インターネット
１０          電子スクラップシステム
２０          電子スクラップサーバー
２１          購入仲介処理部
２２          記事情報提供処理部
２３          電子スクラップ管理処理部
２４          スクラップ情報提供処理部
２５          記事情報管理処理部
３０          購読者端末
４０、４１、４２      出版社端末
４６          雑誌記事ＤＢ
２００        電子スクラップＤＢ
２０１        購入履歴ＤＢ
２０２        記事ＤＢ
４６０        Ａ社の雑誌記事ＤＢ
４６１        Ｂ社の雑誌記事ＤＢ
【図１】
2005157856.tif 000003
【図２】
2005157856.tif 000004
【図３】
2005157856.tif 000005
【図４】
2005157856.tif 000006
【図５】
2005157856.tif 000007
【図６】
2005157856.tif 000008
【図７】
2005157856.tif 000009
【図８】
2005157856.tif 000010
【図９】
2005157856.tif 000011
【図１０】
2005157856.tif 000012
【図１１】
2005157856.tif 000013
【図１２】
2005157856.tif 000014
【図１３】
2005157856.tif 000015
【図１４】
2005157856.tif 000016